(57)【特許請求の範囲】
【請求項１】
中央に孔（３）を有する第一の環状永久磁石（２）と、当該第一の環状永久磁石（２）の非吸着側の面に当接される第一の円盤状強磁性板（４）と、当該第一の円盤状強磁性板（４）の中央部から突設され前記第一の環状永久磁石（２）の中央の孔（３）内に延び、前記第一の環状永久磁石（２）の吸着側の面（９）と面一の高さにまで延びる第一の強磁性突起（５）とを、合成樹脂製のカバー（２１）で被覆して一体化し、第一の強磁性突起（５）の外周壁と環状永久磁石（２）の中央孔（３）の内周壁との間の空間を合成樹脂製のカバー（２１）によって外部から遮断してなる第一の掛止部材（１）と、中央に孔（１３）を有し前記第一の掛止部材（１）に吸着する吸着側の面（１９）の磁極が前記第一の環状永久磁石（２）の吸着側の面（９）の磁極と異なる第二の環状永久磁石（１２）と、当該第二の環状永久磁石（１２）の非吸着側の面に当接される第二の円盤状強磁性板（１４）と、当該第二の円盤状強磁性板（１４）の中央部から突設され前記第二の環状永久磁石（１２）の中央の孔（１３）内に延び、前記第二の環状永久磁石（１２）の吸着側の面（１９）と面一の高さにまで延びる第二の強磁性突起（１５）とを、合成樹脂製のカバー（２２）で被覆して一体化し、第二の強磁性突起（１５）の外周壁と環状永久磁石（１２）の中央孔（１３）の内周壁との間の空間を合成樹脂製のカバー（２２）によって外部から遮断してなる第二の掛止部材（１１）とで構成される磁気掛止具。
【請求項２】
合成樹脂製のカバー（２１）は第二の掛止部材（４１）に当接する側の面（４４）の中央に孔（５０）を有しており、前記第一の円盤状強磁性板（４）の中央部から突設され、前記第一の環状永久磁石（２）の中央孔（３）内に延びる第一の強磁性突起（３３）は、更に、その先端側の外周壁を前記合成樹脂製のカバー（２１）の中央の孔（５０）の内壁に当接させつつ当該中央の孔（５０）内を前記合成樹脂製のカバー（２１）の面（４４）と面一の高さにまで延びていると共に、合成樹脂製のカバー（２２）は第一の掛止部材（３１）に当接する側の面（４５）の中央に孔（５１）を有しており、前記第二の円盤状強磁性板（１４）の中央部から突設され、前記第二の環状永久磁石（１２）の中央孔（１３）内に延びる第二の強磁性突起（３５）は、更に、その先端側の外周壁を前記合成樹脂製のカバー（２２）の中央の孔（５１）の内壁に当接させつつ当該中央の孔（５１）内を前記合成樹脂製のカバー（２２）の面（４５）と面一の高さにまで延びていることを特徴とする請求項１記載の磁気掛止具。
【発明の詳細な説明】
【０００１】
【発明の属する技術分野】
この発明は永久磁石の磁力を利用して吸着し合う磁気掛止具に関し、特に、鞄等の蓋部材と本体との間の掛止に使用されるのみならず、洗濯・クリーニング等の取扱いにさらされる機会の多い衣類用の掛止具としても使用され得る磁気掛止具に関する。
【０００２】
【従来の技術】
従来、永久磁石の吸着力を利用した磁気掛止具が鞄等の蓋の掛止に使用され大きな効果を上げている。この従来の磁気掛止具としては、種々の構造からなるものが提案されているが、その基本的な構造は、以下の通りであった。
【０００３】
すなわち、中央に孔を有する環状永久磁石の非吸着側面に円盤状の第一の強磁性板を当接させると共に、当該第一の強磁性板の中央において前記環状永久磁石の中央孔内で前記環状永久磁石の吸着側方向に第一の強磁性突起を突設させ、この環状永久磁石と第一の強磁性板とを非磁性材製のカバーで一体化して吸着側を構成する。他方、前記カバーを介在させて前記環状永久磁石の吸着側に着脱される円盤状の第二の強磁性板であって、前記吸着側に吸着された際に、前記環状永久磁石の中央孔内で前記環状永久磁石の非吸着側方向に伸び、前記第一の強磁性突起に当接する第二の強磁性突起をその中央部に有する円盤状の第二の強磁性板によって被吸着側を構成する。このようにして構成した吸着側と被吸着側は、吸着側に内蔵されている永久磁石の磁力によって引き合い、吸着された際には、当接された第一、第二の強磁性突起、円盤状の第一、第二の強磁性板、環状永久磁石の間に磁気回路が構成されて、吸着側と被吸着側との間の強固な吸着状態・掛止状態を維持できる。一方、掛止状態を解除する際には、吸着側と被吸着側との間の平行な吸着状態に若干の傾斜を加えることによって、磁気回路を構成するための主要な通路となっている第一、第二の強磁性突起の間の当接状態を解消すれば簡単に取り外すことができる。そこで、小型であっても、非常に吸着力に優れ、安定的な掛止状態を維持できると共に、掛け止め、取り外しといった操作が極めて簡単な掛止具を提供することができた（例えば、特開平２−２０５５０３号）。
【０００４】
【発明により解決しようとする課題】
前記従来の磁気掛止具において注意しなければならない点は、環状永久磁石の中央の孔に延びている強磁性突起の外周壁と環状永久磁石の中央の孔の内周壁との間の空間・スペースに塵などのゴミ、特に鉄粉のような強磁性体が入り込まないようにすることであった。鉄粉などの強磁性体が、環状永久磁石の中央孔の内周壁と強磁性突起の外周壁との間の空間に入り込んでしまうと、当該鉄粉などの強磁性体によって環状永久磁石内周壁と強磁性突起の外周壁との間が短絡されてしまい、いわば、この鉄粉などの強磁性体による短絡によって磁気回路が構成されてしまい、吸着側と被吸着側とが当接された際に、第一、第二の強磁性突起、円盤状の第一、第二の強磁性板、環状永久磁石の間に構成される磁気回路が弱められ、吸着側と被吸着側との間の磁力による吸着力が低下してしまうからである。
【０００５】
特に、従来の磁気掛止具を、洗濯・クリーニングなどにさらされる機会が多く、また、地面など種々の物に接触する機会の多い衣服に用いると、環状永久磁石の中央孔の内周壁と強磁性突起の外周壁との間の空間にに塵などのゴミ、特に鉄粉のような強磁性体が入り込む可能性が多くなるため、従来の磁気掛止具は主に鞄用に使用され、衣服用としてはあまり採用されていなかった。更に、鉄板などを強磁性板として用いるため、衣服のように洗濯、クリーニング等が行われる物に使用していると錆が生じることがあり、この点でも、従来の磁気掛止具は衣服用としてはあまり採用されていなかった。
【０００６】
【課題を解決するための手段】
本発明は、磁気掛止具の吸着側全体、被吸着側全体をそれぞれ非磁性材製の合成樹脂膜・シート・フィルム・カバー・容器、あるいは非磁性材製の合成樹脂層などで被覆すると共に、あるいは磁気掛止具の吸着側、被吸着側それぞれの強磁性突起の当接し合う面以外を非磁性材製の合成樹脂膜・シート・フィルム・カバー・容器、あるいは非磁性材製の合成樹脂層などで被覆すると共に、吸着側及び被吸着側共に環状永久磁石をその対向する面の磁極が互いに異なるようにして内包させることによって、前記課題を解決したものである。
【０００７】
【実施例】
本発明を図面に基づいて説明すれば、図１に示したように、第一の掛止部材１と第二の掛止部材１１とで磁気掛止具を構成したものである。ここで、第一の掛止部材１は、中央に孔３を有する第一の環状永久磁石２と、第一の環状永久磁石２の非吸着側の面に当接される第一の円盤状強磁性板４と、当該第一の円盤状強磁性板４の中央部から突設され第一の環状永久磁石２の中央の孔３内に延び、第一の環状永久磁石２の吸着側の面９と面一の高さにまで延びる第一の強磁性突起５とを、合成樹脂製のカバー２１で被覆して一体化して構成されている。また、第二の掛止部材１１は、中央に孔１３を有し前記第一の掛止部材１に吸着する吸着側の面１９の磁極が第一の環状永久磁石２の吸着側の面９の磁極と異なる第二の環状永久磁石１２と、第二の環状永久磁石１２の非吸着側の面に当接される第二の円盤状強磁性板１４と、第二の円盤状強磁性板１４の中央部から突設され第二の環状永久磁石１２の中央の孔１３内に延び、第二の環状永久磁石１２の吸着側の面１９と面一の高さにまで延びる第二の強磁性突起１５とを、合成樹脂製のカバー２２で被覆して一体化して構成されている。
【０００８】
このように構成した結果、本発明の磁気掛止具においては第一の強磁性突起５の外周壁と環状永久磁石２の中央孔３の内周壁との間の空間は、合成樹脂製のカバー２１の当接面１０によって外部から遮断され、この空間内に外部から塵などのゴミ、特に鉄粉のような強磁性体が入り込むおそれはない。同様に、第二の掛止部材１１側においても、第二の強磁性突起１５の外周壁と環状永久磁石１２の中央孔１３の内周壁との間の空間は、合成樹脂製のカバー２２の当接面２０によって外部から遮断され、この空間内に外部から塵などのゴミ、特に鉄粉のような強磁性体が入り込むおそれはない。
【０００９】
また、第一の掛止部材１、第二の掛止部材１１とも全体が合成樹脂製のカバー２１、２２で覆われているので、洗濯等が行われる衣服用の掛止具として本発明の磁気掛止具を使用しても錆が生じるおそれはない。
【００１０】
なお、第一、第二の強磁性突起５、１５は後端側の杆体７、１７を第一、第二の円盤状強磁性板４、１４の中央の孔６、１６内に挿通させ、杆体７、１７の後端部８、１８を圧潰する等して第一、第二の円盤状強磁性板４、１４に取り付けているが、第一、第二の円盤状強磁性板４、１４と一体的に形成したり、中央孔６、１６を備えていない第一、第二の円盤状強磁性板４、１４に第一、第二の強磁性突起５、１５の後端側を溶着あるいは接着する等によって取り付ける構成にすることもできる。
【００１１】
合成樹脂製のカバー２１、２２としては、非磁性材製の合成樹脂であれば種々のものを使用することができる。
【００１２】
なお、第一、第二の掛止部材１、１１の布地２４、２７に当接する側は、第一、第二の強磁性突起５、１５の後端部８、１８の存在によって布地２４、２７側に若干突出することがあるので、合成樹脂製のカバー２１、２２としては、この突出を吸収できると共に、布地２４、２７に当接する側で第一、第二の掛止部材１、１１の周縁を形成する環状の縁部２３、２６に糸２５、２８等を縫い針（図示していない）によって挿通させ、第一、第二の掛止部材１、１１を布地２４、２７に、直接、縫い付けることができる程度の柔軟性を有する合成樹脂製の膜、あるいはシート状体を採用することができる。
【００１３】
また、前記のように第一、第二の掛止部材１、１１の布地２４、２７に当接する側の第一、第二の強磁性突起５、１５の後端部８、１８の存在によって布地２４、２７側への若干の突出を収容し得る形状を有する硬質の、すなわち堅い部材で合成樹脂製のカバー２１、２２を構成し、第一、第二の掛止部材１、１１の周縁を形成する環状の縁部２３、２６に糸を挿通させる孔３２ａ３２ｂ、３４ａ、３４ｂを有する構成にすることもできる。図６、図７図示の実施例は、これを現したものである。すなわち、図１、図２に現した第二の掛止部材１１、４１の環状の縁部２６に孔３２ａ、３２ｂ、３４ａ、３４ｂを設けておき、ここに糸を通して布地に取り付けるようにしたものである。第一の掛止部材１、３１の形態も同様に変更することができる。図６は、図１に現した第二の掛止部材の環状の縁部２６の形態に変更を加えたものであり、図７は、図２に現した第二の掛止部材の環状の縁部２６の形態に変更を加えたものである。
【００１４】
前記の合成樹脂製のカバー２１、２２は、合成樹脂製の膜あるいはシート状体、フィルムなどによって環状永久磁石、円盤状強磁性板及び強磁性突起などからなる金属製部材の全体を覆った後、溶着あるいは接着などによって開いている部分をとじる、あるいは上側が開口し下側が閉塞されている合成樹脂製の筒状のケースの中に、非吸着側面が上側となっている環状永久磁石２、及び、環状永久磁石２の中央孔３内に強磁性突起５を突設させて環状永久磁石２の非吸着側面に当接されている第一の円盤状強磁性板４を、筒状ケースの上側開口から挿入し（筒状ケースの内周径と環状永久磁石２及び円盤状強磁性板４の外周直径とは対応させておく、また、筒状ケースの内周高さは、環状永久磁石２の厚みと円盤状強磁性板４の厚みとを加算した高さに対応させておく）、筒状ケースの上側開口に合成樹脂製の膜あるいはシート状体、フィルムなどを被せ、筒状ケースの上側開口との接触部を溶着あるいは接着などによって結合させることもできる。
【００１５】
前記のように構成した本発明の磁気掛止具は図１（ｂ）図示のように吸着させた際に、第一の強磁性突起５と第二の強磁性突起１５との間に合成樹脂製のカバー２１、２２が介在することになるが、第一、第二の掛止部材１、１１とも内部に環状永久磁石２、１２をそれぞれ内包しており、第一の掛止部材１の吸着面９と第二の掛止部材１１の吸着面１９とは、互いに異なる磁極になっているので（図１では、吸着面９がＳ極、吸着面１９がＮ極になってる。）、図１の場合、環状永久磁石２、１２の間で磁力によって互いに矢示５２ａ、５２ｂ方向に引き合うと共に、環状永久磁石２の上側から、第一の円盤状強磁性板４、第一の強磁性突起５、第二の強磁性突起１５、第二の円盤状強磁性板１４を通って、環状永久磁石１２の下側に至る磁気回路が構成され、前記矢示５２ａ、５２ｂ方向に引き合う磁力と相俟って、第一、第二の掛止部材１、１１は強固に吸着され、第一、第二の掛止部材１、１１が図１（ｂ）中、矢示２９、３０で示すように、互いに横ずれするおそれはない。
【００１６】
また、第一、第二の掛止部材１、１１は矢示５２ａ、５２ｂ方向に引き合って吸着され、更に、前記のように中央の第一、第二の強磁性突起５、１５を経由する磁気回路が構成されようとするので、第一、第二の掛止部材１、１１は中央の第一、第二の強磁性突起５、１５が互いに正対し合うように適切な位置関係で吸着できる。
【００１７】
なお、第一、第二の環状永久磁石２、１２として、Ｎｄ−Ｆｅ−Ｂ系焼結磁石、ネオジウム系ボンド磁石のような希土類磁石、また従来からあるフェライト磁石であっても磁力の大幅に改善されたものを使用することにより、薄くて小型であっても強力な磁力、吸着力を発揮させることができる。
【００１８】
本発明の磁気掛止具の場合、第一、第二の環状永久磁石２、１２はその直径を１０ｍｍ〜２０ｍｍ、厚さを０．５ｍｍ〜２．０ｍｍ、中央孔３、１３の直径を５ｍｍ〜１０ｍｍ、第一、第二の強磁性突起５、１５の最大直径を５ｍｍ〜１０ｍｍ、合成樹脂製のカバー２１、２２の厚さを０．０５ｍｍ〜０．５ｍｍ程度にすることができる。
【００１９】
ただし、鞄用あるいは衣服用の磁気掛止具として、それぞれ要求される全体の外周の大きさに合わせて、前述した環状永久磁石等の各部材のサイズ比率に従って、種々の大きさのものを提供することができる。
【００２０】
前記において、第一、第二の円盤状強磁性板４、１４、第一、第二の強磁性突起５、１５などは、強磁性を有する部材、例えば、鉄などで形成することができる。
【００２１】
また、本発明の他の磁気掛止具は、図２に示したように構成することもできる。すなわち、図１で例示されている本発明の第一の磁気掛止具において、図２図示のように、合成樹脂製のカバー２１は第二の掛止部材４１に当接する側の面４４の中央に孔５０を有しており、第一の円盤状強磁性板４の中央部から突設され、第一の環状永久磁石２の中央孔３内に延びる第一の強磁性突起３３は、更に、その先端側の外周壁を前記合成樹脂製のカバー２１の中央の孔５０の内壁に当接させつつ当該中央の孔５０内を前記合成樹脂製のカバー２１の面４４と面一の高さにまで延びていると共に、合成樹脂製のカバー２２は第一の掛止部材３１に当接する側の面４５の中央に孔５１を有しており、前記第二の円盤状強磁性板１４の中央部から突設され、前記第二の環状永久磁石１２の中央孔１３内に延びる第二の強磁性突起３５は、更に、その先端側の外周壁を前記合成樹脂製のカバー２２の中央の孔５１の内壁に当接させつつ当該中央の孔５１内を前記合成樹脂製のカバー２２の面４５と面一の高さにまで延びているように構成したものである。すなわち、第一の掛止部材３１、第二の掛止部材４１とも、それぞれの強磁性突起３３、３５の当接し合う面以外を非磁性材製の合成樹脂膜・シート・フィルム・カバー・容器、あるいは非磁性材製の合成樹脂層などで被覆したものである。その他の構成は、図１図示の磁気掛止具と同一である。
【００２２】
このように構成することによって図１に示した実施例と同様に、第一の強磁性突起３３の外周壁と環状永久磁石２の中央孔３の内周壁との間の空間は、合成樹脂製のカバー２１の当接面４４によって外部から遮断され、この空間内に外部から塵などのゴミ、特に鉄粉のような強磁性体が入り込むおそれはない。同様に、第二の掛止部材４１側においても、第二の強磁性突起３５の外周壁と環状永久磁石１２の中央孔１３の内周壁との間の空間は、合成樹脂製のカバー２２の当接面４５によって外部から遮断され、この空間内に外部から塵などのゴミ、特に鉄粉のような強磁性体が入り込むおそれはない。
【００２３】
この実施例では、第一の強磁性突起３３と、第二の強磁性突起３５とが互いの当接面同士で直接、すなわち非磁性材からなる合成樹脂製のカバーを介在させることなしに直接当接するので、第一、第二の強磁性突起、円盤状の第一、第二の強磁性板、環状永久磁石の間に構成される磁気回路がより強いものになり、第一、第二の掛止部材３１、４１が図２（ｂ）中、矢示２９、３０で示すように、互いに横ずれするおそれはなくなり、また、吸着し合おうとする際、第一、第二の掛止部材３１、４１が中央の第一、第二の強磁性突起３３、３５が互いに正対し合うように適切な位置で吸着されることをより確実ならしめる。
【００２４】
図２図示の実施例においては、第一の強磁性突起３３、第二の強磁性突起３５の当接面が外部に露出されているため、ここに鉄粉等が付着するおそれがあるが、付着した鉄粉等は容易に拭き取ることができる。また、このように当接面に鉄粉等が付着した場合であっても、環状永久磁石の中央孔内周壁と強磁性突起外周壁との間の空間に鉄粉等が入り込む場合と異なり、吸着力が弱められるおそれはない。
【００２５】
また、後述するように、第一の強磁性突起３３と、第二の強磁性突起３５の当接面に非磁性材性のコーティングを行うことにより、当該当接面から錆が発生することを防止できる。
【００２６】
更に、本発明は、環状永久磁石の中央孔の内周壁と強磁性突起の外周壁との間の空間に鉄粉のような強磁性体が入り込まないようにする、また、金属製部材を外部に露出させないことによって、錆が生じないようにすることを主要なる目的としているので、第一の強磁性突起５、３３、第二の強磁性突起１５、３５、第一、第二の環状永久磁石２、１２、第一、第二の円盤状強磁性板４、１４などの金属製部材それぞれに、又は、これらの部材を組み合わせて第一、第二の掛止部材を構成した際に外側となる部分に、もしくは、前記の部材を組み合わせて構成した第一、第二の掛止部材の全外周に、ポリミイドコーティング、エポキシ・スプレーコーティング、電着塗装などのコーテイングを行って、非磁性材性の塗膜、層で金属製部材を被覆すると共に、環状永久磁石の中央孔の内周壁と強磁性突起の外周壁との間の部分に、これらの塗膜に用いたのと同一の材料を充填してこの部分を密封し（図示していない）、第一の掛止部材１、３１、第二の掛止部材１１、４１の布地２４、２７に取り付けられる側を、環状縁部２３、２６を構成するための合成樹脂製のシート状体、フィルムなどに接着等によって取り付けて磁気掛止具を構成することも可能である。
【００２７】
前記図１、図２で説明したいずれの形態の磁気掛止具においても、それぞれ、図３、図４に図示した形態に変更を加えることが可能である。
【００２８】
すなわち、図１図示の形態において、図３図示のように、第一の掛止部材１の合成樹脂製のカバー２１は、第二の掛止部材１１と吸着する側の面１０の周縁に環状の立ち上がり鍔部３６を有しており、第一の掛止部材１と第二の掛止部材１１とが吸着した際に、第二の掛止部材１１の第一の掛止部材１と吸着する側の面２０の周縁が、当該第一の掛止部材１の環状立ち上がり鍔部３６内に収容される形態に変更することが可能である。また、図２図示の形態において、図４図示のように、第一の掛止部材３１の合成樹脂製のカバー３２は、第二の掛止部材４１と吸着する側の面４４の周縁に環状の立ち上がり鍔部３７を有しており、第一の掛止部材３１と第二の掛止部材４１とが吸着した際に、第二の掛止部材４１の第一の掛止部材３１と吸着する側の面４５の周縁が、当該第一の掛止部材３１の環状立ち上がり鍔部３７内に収容される形態に変更することが可能である。
【００２９】
図１、図２で説明した形態の磁気掛止具を前述した図３、図４図示の形態に変更すると、第一の掛止部材と第二の掛止部材とが吸着し合った際に、環状の立ち上がり鍔部３６、３７の働きによって、第一、第二の掛止部材１、１１が図３（ｂ）、図４（ｂ）中、矢示２９、３０で示すように、互いに横ずれすることはなくなり、また吸着し合う際の適切な位置関係もより容易に達成されることになる。
【００３０】
なお、図３、図４における環状の立ち上がり鍔部３６、３７は、全周に渡って設ける必要はなく、例えば、吸着状態を解除する際（すなわち取り外す際）の取り外す方向を考慮して、合成樹脂製のカバー２１の半周のみ、合成樹脂製のカバー３２の半周にのみ、のように合成樹脂製のカバー２１、２２の一部分にのみ立ち上がり鍔部３６、３７を設ける構成にすることももちろん可能である。
【００３１】
本発明は、更に種々の態様に変更可能であり、図５は、その一つの形態を現したものである。
【００３２】
図５図示のものの基本的形態は、図１図示のものと同一であるが、図５図示のものは、第二の掛止部材５４の第二の強磁性突起６７が大径であって、中央部に凹部６０を有しており、第一の掛止部材５３の合成樹脂製のカバー５９が、第二の掛止部材５４に当接する側の面の中央部に、前記第二の掛止部材５４の凹部に嵌装される凸部６２を備えている点が図１図示の形態のものと相違している。
【００３３】
すなわち、図５図示の磁気掛止具においては、第一の掛止部材５３は、中央に孔５６を有する第一の環状永久磁石５５と、第一の環状永久磁石５５の非吸着側の面に当接される第一の円盤状強磁性板５８と、当該第一の円盤状強磁性板５８の中央部から突設され第一の環状永久磁石５５の中央の孔５６内に延び、第一の環状永久磁石５５の吸着側の面６３と面一の高さにまで延びる第一の強磁性突起５７とを、合成樹脂製のカバー５９で被覆して一体化して構成されている。また、第二の掛止部材５４は、中央に孔６６を有し前記第一の掛止部材５３に吸着する吸着側の面６４の磁極が第一の環状永久磁石５５の吸着側の面６３の磁極と異なる第二の環状永久磁石６５と、第二の環状永久磁石６５の非吸着側の面に当接される第二の円盤状強磁性板６８と、第二の円盤状強磁性板６８の中央部から突設され第二の環状永久磁石６５の中央の孔６６内に延び、第二の環状永久磁石６５の吸着側の面６４と面一の高さにまで延びる第二の強磁性突起６７とを、合成樹脂製のカバー６９で被覆して一体化して構成されている。
【００３４】
ここで、第二の強磁性突起６７は中央に凹部６０を有しており、第二の掛止部材５４全体を被覆している合成樹脂製のカバー６９も当該凹部６０に応じて窪んでいるため、第二の掛止部材５４は、中央に凹部６１を有している。一方、第一の掛止部材５３の全体を被覆している合成樹脂製のカバー５９は、第二の掛止部材５４に当接する側の面の中央部に、前記第二の掛止部材５４の凹部６１に嵌装される凸部６２を備えている。
【００３５】
これによって、第一の掛止部材５３と第二の掛止部材５４とを吸着させようとする際に、互いに異なる磁極面で対向する環状永久磁石５５、６５が互いに引き合うと共に、環状永久磁石５５の上側から、第一の円盤状強磁性板５８、第一の強磁性突起５７、第二の強磁性突起６７、第二の円盤状強磁性板６８を通って、環状永久磁石６５の下側に至るように構成される磁気回路によって、第一、第二の掛止部材５３、５４が強力に吸着し合うだけでなく、凹部６１と凸部６２との嵌合によって、両者が横ずれせず、より確実な吸着状態が確保される。
【００３６】
また、図８図示のものは、更に他の実施例を現すものである。この図８図示の磁気掛止具は、衣服用として使用し、第一の磁気掛止具、第二の磁気掛止具ともそれぞれ表地７０と裏地７１との間に内在させ、位置がずれないように、糸７３で表地７０と裏地７１とを縫い合わせたものである。表地７０と裏地７１との間に内在されている磁気掛止具の構成は図１図示の実施例の場合と同一であり、相違している点は、第一、第二の掛止部材とも、周縁を形成する環状の縁部２３、２６を有していない点のみである。すなわち、この実施例では、環状の縁部２３、２６を利用して第一、第二の掛止部材を布地に取り付けなくても、表地７０と裏地７１との間で、表地７０と裏地７１とを糸７３等によって縫い付けることにより、第一、第二の掛止部材の布地への取り付けを行うことができる。また、このように、第一、第二の掛止部材とも布地の中に埋設させていても、両者の中にはそれぞれ、対向し合う面の磁極を異ならせて環状永久磁石２、１２が収容されているので、これによって強力に吸引し合い、また安定した吸着状態を維持することができる。
【００３７】
【発明の効果】
この発明によれば、磁気掛止具の吸着側全体、被吸着側全体をそれぞれ非磁性材製の合成樹脂膜・シート・フィルム・カバー・容器、あるいは非磁性材製の合成樹脂層などで被覆すると共に、あるいは磁気掛止具の吸着側、被吸着側それぞれの強磁性突起の当接し合う面以外を非磁性材製の合成樹脂膜・シート・フィルム・カバー・容器、あるいは非磁性材製の合成樹脂層などで被覆したので、磁気掛止具を構成する環状永久磁石の中央の孔に延びている強磁性突起の外周壁と環状永久磁石の中央孔の内周壁との間の空間・スペースに塵などのゴミ、特に鉄粉のような強磁性体が入り込むおそがなくなり、また、強磁性部材などの金属製部材から錆が発生するおそれも防止できるので、従来のように鞄用に主として利用されるだけでなく、洗濯などにさらされる機会の多い衣服用の磁気掛止具としても使用することができる。
【００３８】
また、磁気掛止具の吸着側及び被吸着側共に、環状永久磁石をその対向する面の磁極が互いに異なるようにして内包させたので、より強い吸着力、より安定した吸着状態を確保することができる。
【図面の簡単な説明】
【図１】  本発明の第一の好ましい実施例を現す図であって、（ａ）は吸着する前の状態を現す断面図、（ｂ）は吸着した状態を現す断面図、（ｃ）は第二の掛止部材の平面図。
【図２】  本発明の第二の好ましい実施例を現す図であって、（ａ）は吸着する前の状態を現す断面図、（ｂ）は吸着した状態を現す断面図、（ｃ）は第二の掛止部材の平面図。
【図３】  本発明の第三の好ましい実施例を現す図であって、（ａ）は吸着する前の状態を現す断面図、（ｂ）は吸着した状態を現す断面図、（ｃ）は第二の掛止部材の平面図、（ｄ）は第一の掛止部材の平面図。
【図４】  本発明の第四の好ましい実施例を現す図であって、（ａ）は吸着する前の状態を現す断面図、（ｂ）は吸着した状態を現す断面図、（ｃ）は第二の掛止部材の平面図、（ｄ）は第一の掛止部材の平面図。
【図５】  本発明の第五の好ましい実施例の吸着する前の状態を現す断面図。
【図６】  本発明の第六の好ましい実施例を現す図であって、（ａ）は第二の掛止部材の断面図、（ｂ）は第二の掛止部材の平面図。
【図７】  本発明の第七の好ましい実施例を現す図であって、（ａ）は第二の掛止部材の断面図、（ｂ）は第二の掛止部材の平面図。
【図８】  本発明の第八の好ましい実施例の吸着する前の状態を現す断面図。
【符号の説明】
３、１３  環状永久磁石の中央孔
２、１２  環状永久磁石
４、１４  円盤状強磁性板
９、１９  環状永久磁石の吸着側の面
５、１５  強磁性突起
２１、２２    合成樹脂製のカバー
１        第一の掛止部材
１１      第二の掛止部材
５０、５１      合成樹脂製のカバーの透孔
４４、４５      合成樹脂製のカバーの吸着側の面
３１      第一の掛止部材
３３      第一の強磁性突起
４１      第二の掛止部材
３５      第二の強磁性突起
【図１】
0003849113.tif 000002
【図２】
0003849113.tif 000003
【図３】
0003849113.tif 000004
【図４】
0003849113.tif 000005
【図５】
0003849113.tif 000006
【図６】
0003849113.tif 000007
【図７】
0003849113.tif 000008
【図８】
0003849113.tif 000009